(57)【要約】【課題】交際相手等を紹介する紹介システム及び紹介方法において、タッチパネルを備えた表示部を有したユーザー端末を使用して、ユーザーがメッセージ送受信画面と相手のプロフィール画面の確認作業を簡便に実施する紹介システム及び紹介方法を提供すること。【解決手段】本発明は、複数のユーザー端末３と、複数のユーザー端末３とネットワーク４を介して接続される紹介サーバ２と、からなり、ユーザー端末３のタッチパネル３２を搭載した表示部３１が、他のユーザーとのメッセージのやり取りであるメッセージ送受信画面と、紹介サーバ２からの他のユーザーのプロフィール情報であるプロフィール画面とを積層して表示し、かかる画面のうち、表示部３１の上面に表示された面が、タッチパネル３２に対して行われるスワイプ操作により、スワイプ操作が行われた方向に表示領域を拡大あるいは縮小する紹介システム１及び紹介方法である。【選択図】図１
2020173739.tif 000002
【特許請求の範囲】
【請求項１】
複数のユーザー端末と、前記複数のユーザー端末とネットワークを介して接続される紹介サーバと、からなり、前記ユーザー端末を利用するユーザーに他のユーザーを紹介する紹介システムであって、
前記ユーザー端末が、
前記他のユーザーとのメッセージのやり取りを時系列に表示するメッセージ送受信画面を作成するメッセージ送受信画面作成部と、
前記紹介サーバから送信された前記他のユーザーのプロフィール情報を用いてプロフィール画面を作成するプロフィール画面作成部と、
前記メッセージ送受信画面と前記プロフィール画面とを積層する画面積層部と、
タッチパネルを搭載し、前記積層された前記メッセージ送受信画面と前記プロフィール画面とを表示する表示部と、
前記タッチパネルに対して行われる操作に対応して前記ユーザー端末を制御する端末制御部と、を備え、
前記端末制御部は、前記メッセージ送受信画面と前記プロフィール画面のうち上面となる面が表示された前記タッチパネルに対して行われたスワイプ操作に従って、前記上面となる面を当該スワイプ操作が行われた方向に表示領域を拡大あるいは縮小するように前記ユーザー端末を制御することを特徴とする紹介システム。
【請求項２】
前記タッチパネルは、前記スワイプ操作が前記ユーザー端末の上方向または下方向に行われることを検出することを特徴とする請求項１に記載の紹介システム。
【請求項３】
前記画面積層部が、前記上面に表示された面が前記プロフィール画面となるように画面を積層することを特徴とする請求項１または請求項２に記載の紹介システム。
【請求項４】
前記メッセージ送受信画面作成部は、前記メッセージ送受信画面で行われる前記ユーザーのメッセージのやりとりがチャット形式となるように前記メッセージ送受信画面を作成することを特徴とする請求項１ないし請求項３のいずれかに記載の紹介システム。
【請求項５】
前記紹介サーバが、
前記ユーザー端末と通信する通信部と、
前記ユーザー端末に、前記他のユーザーのプロフィール情報を送信する送信部と、を備え、
前記ユーザー端末が、
前記紹介サーバと通信する通信部と、
を備えることを特徴とする請求項１ないし請求項４のいずれかに記載の紹介システム。
【請求項６】
前記ユーザーに、前記他のユーザーを交際相手として紹介することを特徴とする請求項１ないし請求項５のいずれかに記載の紹介システム。
【請求項７】
複数のユーザー端末と、前記複数のユーザー端末とネットワークを介して接続される紹介サーバと、からなり、前記ユーザー端末を利用するユーザーに他のユーザーを紹介する紹介方法であって、
前記他のユーザーとのメッセージのやり取りを時系列に表示するメッセージ送受信画面を作成するステップと、
前記紹介サーバから送信された前記他のユーザーのプロフィール情報を用いてプロフィール画面を作成するステップと、
前記ユーザー端末のタッチパネルを搭載した表示部が、前記メッセージ送受信画面と前記プロフィール画面とを積層して表示するステップと、
前記メッセージ送受信画面と前記プロフィール画面のうち、前記表示部の上面に表示された面が、前記タッチパネルに対して行われるスワイプ操作により、当該スワイプ操作が行われた方向に表示領域を拡大あるいは縮小するステップと、
を含むことを特徴とする紹介方法。
【発明の詳細な説明】
【技術分野】
【０００１】
本発明は、紹介システム及び紹介方法に関する。さらに詳しくは、例えば、交際相手等を紹介する紹介システム及び紹介方法に関する。
【背景技術】
【０００２】
近年、インターネットを利用して、ユーザー（利用者）に対して異性の交際相手等を紹介する紹介システムが知られており、関連するウェブサイトやアプリも多数開設されている（例えば、特許文献１等を参照。）。
【０００３】
交際相手等の紹介を希望するユーザーは、かかるウェブサイトやアプリにおいて、自己のプロフィール情報や相手に求める条件等を自己の端末から入力して、ウェブサイトやアプリに送信してユーザー登録する。そして、ユーザーは、ウェブサイトやアプリで好みの相手（他のユーザー）を検索して、相手のプロフィール情報を参照したうえでメッセージ等を送って接触をとったり、交際を申し込んだりすることが可能となっている。
【０００４】
また、ユーザーが使用する端末の操作として、タッチパネルを表示部に搭載されたものが広く用いられている。操作者（ユーザー）がタッチパネルに対して操作を行うと、タッチパネルは操作者の操作を検出し、表示部は、操作者の操作に応じて画像を変化させる。かかるタッチパネルは、例えば、スマートフォンやタブレット型コンピュータ、携帯電話等の端末に搭載されている（例えば、特許文献２等を参照。）。
【先行技術文献】
【特許文献】
【０００５】
【特許文献１】特開２００５−１５８０２１号公報
【特許文献２】特開２００７−１０２７４３号公報
【発明の開示】
【発明が解決しようとする課題】
【０００６】
このような紹介システムでは、前記したように、ユーザーはプロフィール情報を確認ないし参照した上で他のユーザーから好みの相手を選び、相手とメッセージを送受信しながら接触を図るのが一般的である。
【０００７】
また、ユーザーは、端末で好みの相手のプロフィール情報が載った画面（プロフィール画面）を見ながら、メッセージのやり取りを行い、自分との相性を確認していくものである。一方、これまでの紹介システムでは、プロフィール画面とメッセージのやり取りをする画面（メッセージ送受信画面）のそれぞれを随時確認しながら自分との相性を確認していったが、それぞれの画面は別々に表示されることもあり、かかる確認作業は面倒なものであった。
【０００８】
本発明は、前記の課題に鑑みてなされたものであり、例えば、交際相手等を紹介する紹介システム及び紹介方法において、タッチパネルを備えた表示部を有したユーザー端末を使用して、ユーザーがメッセージ送受信画面と相手のプロフィール画面の確認作業を簡便に実施することができる紹介システム及び紹介方法を提供することにある。
【課題を解決するための手段】
【０００９】
前記の課題を解決するために、本発明に係る紹介システムは、
複数のユーザー端末と、前記複数のユーザー端末とネットワークを介して接続される紹介サーバと、からなり、前記ユーザー端末を利用するユーザーに他のユーザーを紹介する紹介システムであって、
前記ユーザー端末が、
前記他のユーザーとのメッセージのやり取りを時系列に表示するメッセージ送受信画面を作成するメッセージ送受信画面作成部と、
前記紹介サーバから送信された前記他のユーザーのプロフィール情報を用いてプロフィール画面を作成するプロフィール画面作成部と、
前記メッセージ送受信画面と前記プロフィール画面とを積層する画面積層部と、
タッチパネルを搭載し、前記積層された前記メッセージ送受信画面と前記プロフィール画面とを表示する表示部と、
前記タッチパネルに対して行われる操作に対応して前記ユーザー端末を制御する端末制御部と、を備え、
前記端末制御部は、前記メッセージ送受信画面と前記プロフィール画面のうち上面となる面が表示された前記タッチパネルに対して行われたスワイプ操作に従って、前記上面となる面を当該スワイプ操作が行われた方向に表示領域を拡大あるいは縮小するように前記ユーザー端末を制御することを特徴とする。
【００１０】
本発明に係る紹介システムは、前記した本発明において、前記タッチパネルは、前記スワイプ操作が前記ユーザー端末の上方向または下方向に行われることを検出することを特徴とする。
【００１１】
本発明に係る紹介システムは、前記した本発明において、前記画面積層部が、前記上面に表示された面が前記プロフィール画面となるように画面を積層することを特徴とする。
【００１２】
本発明に係る紹介システムは、前記した本発明において、前記メッセージ送受信画面作成部は、前記メッセージ送受信画面で行われる前記ユーザーのメッセージのやりとりがチャット形式となるように前記メッセージ送受信画面を作成することを特徴とする。
【００１３】
本発明に係る紹介システムは、前記した本発明において、
前記紹介サーバが、
前記ユーザー端末と通信する通信部と、
前記ユーザー端末に、前記他のユーザーのプロフィール情報を送信する送信部と、を備え、
前記ユーザー端末が、
前記紹介サーバと通信する通信部と、
を備えることを特徴とする。
【００１４】
本発明に係る紹介システムは、前記した本発明において、前記ユーザーに、前記他のユーザーを交際相手として紹介することを特徴とする。
【００１５】
本発明に係る紹介方法は、
複数のユーザー端末と、前記複数のユーザー端末とネットワークを介して接続される紹介サーバと、からなり、前記ユーザー端末を利用するユーザーに他のユーザーを紹介する紹介方法であって、
前記他のユーザーとのメッセージのやり取りを時系列に表示するメッセージ送受信画面を作成するステップと、
前記紹介サーバから送信された前記他のユーザーのプロフィール情報を用いてプロフィール画面を作成するステップと、
前記ユーザー端末のタッチパネルを搭載した表示部が、前記メッセージ送受信画面と前記プロフィール画面とを積層して表示するステップと、
前記メッセージ送受信画面と前記プロフィール画面のうち、前記表示部の上面に表示された面が、前記タッチパネルに対して行われるスワイプ操作により、当該スワイプ操作が行われた方向に表示領域を拡大あるいは縮小するステップと、
を含むことを特徴とする。
【発明の効果】
【００１６】
本発明によれば、タッチパネルを備えた表示部を有したユーザー端末を使用した、交際相手等を紹介する紹介システム及び紹介方法において、タッチパネルを備えた表示部を有したユーザー端末を使用して、タッチパネルへのスワイプ操作に対応する、上面になる面の表示領域の拡大または縮小（及びそれに付随する上面の下にある面（下面）が隠されるまたは表示される。）により、ユーザーがメッセージ送受信画面と相手（他のユーザー）のプロフィール画面の確認作業を簡便に実施することができる紹介システム及び紹介方法となる。
【図面の簡単な説明】
【００１７】
【図１】本発明に係る紹介システムの一態様を示した概略図である。
【図２】紹介サーバの構成の一態様を示した図である。
【図３】ユーザー端末の構成の一態様を示した図である。
【図４】画面構成部の構成の一態様を示した図である。
【図５】上面の説明図である。
【図６】ユーザー登録からメッセージ送受信までの流れのフローチャートを示した図である。
【図７】ユーザー登録画面（プロフィール登録画面）を示した図である。
【図８】ユーザー一覧画面の一例を示した図である。
【図９】ユーザー特定画面の一例を示した図である。
【図１０】図９において、ユーザー特定画面を下にスクロールしてユーザーのプロフィール詳細を表示した図である。
【図１１】メッセージ送受信画面の一例を示した図である。
【図１２】図１１において、メッセージの送受信がなされた状態を示した図である。
【図１３】表示された画面とスワイプ操作との関係のフローチャートを示した図である。
【図１４】プロフィール画面が表示された状態の一例を示す図である。
【図１５】図１４において、プロフィール画面が下方向に拡大された状態を示す図である。
【図１６】図１４において、プロフィール画面が上方向に縮小された状態を示す図である。
【発明を実施するための形態】
【００１８】
以下、本発明の一態様について図面を用いて説明する。なお、以下の実施形態にあっては、ユーザー端末３を利用するユーザーに他のユーザーを紹介する紹介システム１の一例として、ユーザーに、登録された他のユーザーを異性の交際相手として紹介する紹介システム１を挙げて説明する。
【００１９】
（Ｉ）本発明の構成：
図１は、本発明に係る紹介システム１の一態様を示した概略図である。図１に示した紹介システム１は、複数のユーザー端末３と、かかる複数のユーザー端末３とネットワーク４を介して接続された紹介サーバ２、により構成されている。ユーザー端末３は、タッチパネル３２を搭載した表示部３１を備えている。
【００２０】
紹介サーバ２は、例えば、メインフレーム等の大型コンピュータなどの図示しないコンピュータ機器によって構成され、紹介サーバ２は、各種のデータベースを格納する記憶部を備えているのが一般的である。
【００２１】
紹介サーバ２は、インターネット等のネットワーク４を介して、例えば、ユーザー端末３の要求に対してデータを送信し、ユーザー端末３の表示部３１に画面を表示したり、ユーザー端末３からのデータを受け取り、処理等をするものである。
【００２２】
ネットワーク４は、例えば、基地局を介したＷＡＮ（Ｗｉｄｅ  Ａｒｅａ  Ｎｅｔｗｏｒｋ）と、アクセルポイントまたはルータを介したＬＡＮ（Ｌｏｃａｌ  Ａｒｅａ  Ｎｅｔｗｏｒｋ）とを含む。ＷＡＮは、例えば、モバイルインターネット、３Ｇ，４Ｇ，５Ｇ（３ｒｄ  Ｇｅｎｅｒａｔｉｏｎ，４ｔｈ  Ｇｅｎｅｒａｔｉｏｎ，５ｔｈ  Ｇｅｎｅｒａｔｉｏｎ）、ＬＴＥ（Ｌｏｎｇ  Ｔｅｒｍ  Ｅｖｏｌｕｔｉｏｎ）等であり、ＬＡＮは 、例えば、Ｗｉ−Ｆｉ（Ｗｉｒｅｌｅｓｓ−Ｆｉｄｅｌｉｔｙ）等を含む。
【００２３】
図２は、紹介サーバ２の一態様を示した図である。図２に示す構成にあっては、紹介サーバ２を構成するＣＰＵ２１には、通信部２２、ユーザー登録部２３、ＨＤＤ２４、送信部２５等が接続されており、これらは、バス２６を介して互いに接続されている。
【００２４】
紹介サーバ２は、例えば、図２に示すように、ＣＰＵ（Ｃｅｎｔｒａｌ  Ｐｒｏｃｅｓｓｉｎｇ  Ｕｎｉｔ）２１に、ＲＯＭ（Ｒｅａｄ  Ｏｎｌｙ  Ｍｅｍｏｒｙ）２１ａと、ＲＡＭ（Ｒａｎｄｏｍ  Ａｃｃｅｓｓ  Ｍｅｍｏｒｙ）２１ｂがバス２６を介して互いに接続されているようにしてもよい。
【００２５】
ＣＰＵ２１は、紹介サーバ２全体を処理ないし制御する処理部ないしは制御部となるものであり、ＲＯＭ２１ａは、例えば、かかるＣＰＵ２１が処理するソフトウェアのプログラム及びプログラムを動作させるための各種データを記憶する。ＲＡＭ２１ｂは、例えば、ＣＰＵ２１が処理するソフトウェアのプログラム等を実行する際に使用する記憶部領域等として用いられる。
【００２６】
通信部２２は、前記したように、インターネット等のネットワーク４に接続され、かかるネットワーク４を介してユーザー端末３に接続され、紹介サーバ２とユーザー端末３相互の通信がなされることになる。
【００２７】
ユーザー登録部２３は、ユーザー端末３からプロフィール情報を送信したユーザーを登録する。ユーザー登録部２３は、図示しないプロフィール情報受付部、プロフィール情報処理部を備えてもよく、ユーザー登録部２３に送信されたプロフィール情報は、後記するプロフィール情報記憶部に記憶される。
【００２８】
送信部２５は、ユーザーのユーザー端末３に対して登録された他のユーザーのプロフィール情報を送信する。送信部２５は、プロフィール情報だけでなく、例えば、他のユーザーからユーザーへのメッセージ等といった他のユーザーとのメッセージのやり取り等を形成する、ユーザー端末３等に対して紹介サーバ２で有する各種情報を送信可能である。なお、図示しないが、紹介サーバ２は、ユーザー端末３からのプロフィール情報や、例えば、ユーザーから他のユーザーへのメッセージ等の各種情報を受信する受信部も備える。
【００２９】
ＨＤＤ（Ｈａｒｄ  Ｄｉｓｋ  Ｄｒｉｖｅ：ハードディスクドライブ）２４には、例えば、図示しないオペレーティングシステム（Ｏｐｅｒａｔｉｎｇ  Ｓｙｓｔｅｍ：ＯＳ）、ユーザーに紹介システム１を実現させるための所定のアプリケーションソフトウェア（プログラム）等が図２では図示しない記憶部に記憶されている。
【００３０】
プログラムは、オペレーティングシステムと協調して、その機能を発揮する。なお、本発明のシステムにあっては、ユーザー端末３の端末制御部３３がプログラムを読み出して実行してもよい。
【００３１】
ＨＤＤ２４に格納されるプログラムは、必要に応じてＨＤＤ２４から読み出され、ＲＡＭ２１ｂに格納される。さらにＣＰＵ２１によりＲＡＭ２１ｂから読み出し、実行されることにより、紹介システム１の動作を実現するようにしてもよい。
【００３２】
また、ＨＤＤ２４は、各種情報（データ）を記憶し、例えば、ユーザーのプロフィール情報（プロフィール情報記憶部）、ユーザー同士のメッセージのやりとり（メッセージ記憶部）、ユーザーの画像（ユーザー画像記憶部）等の各種情報を記憶するようにしてもよい。また、前記したように、オペレーティングシステム、紹介プログラム等を記憶してもよい。
【００３３】
また、紹介サーバ２は、図示しない入力部及び出力部を有し、入力部は、例えば、外部からの情報やデータ等の入力操作を実施し、出力部は、例えば、外部に対して情報やデータ等の出力操作を実施する。
【００３４】
図３は、ユーザー端末３の構成の一態様を示した図である。ユーザー端末３は、タッチパネル３２を搭載した表示部３１を備える。タッチパネル３２を表示部３１として搭載したユーザー端末３としては、例えば、スマートフォン（スマホ）、タブレット型パーソナルコンピュータ（タブレット型パソコンであって、いわゆる２ｉｎ１（ツーインワン）のものを含む。）、携帯電話等が挙げられる。
【００３５】
タッチパネル３２は、透明領域を有し、表示されるメニュー画面を指等で直接触れることにより操作されるポインティングデバイスの一態様である。タッチパネル３２の透明領域は、表示部３１の画面と重なるように配設され、ユーザー端末３の操作者（ユーザー）は、タッチパネル３２を介して表示部３１の表示を視認する。
【００３６】
タッチパネル３２は、ユーザー端末３における図示しない操作部も兼ねることになる。操作者（ユーザー）は、一般に、指（一般に人差し指や親指等。）でタッチパネル３２を操作し、操作者がタッチパネル３２を操作すると、タッチパネル３２（タッチパネル３２の表面に貼付されたセンサ）は、触れた位置等の操作者の操作を検出する。そして、かかる操作の内容は、ユーザー端末３の図示しない端末入力部に入力されることになる。
【００３７】
また、ユーザー端末３は、図３に示すように、タッチパネル３２を搭載した表示部３１のほか、例えば、端末制御部３３と、ネットワーク４を介して紹介サーバ２と通信するための通信部３４と、記憶部３５、画面構成部３６を備え、これらは、バス３７を介して互いに接続されている。
【００３８】
端末制御部３３はユーザー端末３を制御し、例えば、端末制御部３３は、図示しない端末入力部に入力されたタッチパネル３２の検出結果に基づいてユーザー端末３の表示する画像を変更、調整する。
【００３９】
端末制御部３３は、メッセージ送受信画面８とプロフィール画面９のうち上面となる面が表示されたタッチパネル３２に対して行われたスワイプ操作に従って、上面となる面をスワイプ操作が行われた方向に表示領域を拡大あるいは縮小するようにユーザー端末３を制御する。また、タッチパネル３２が検出した操作にもとづき、各種画面（例えば、メッセージ送受信画面８やプロフィール画面９のほか、ユーザー特定画面７等。これらの各種画面については後記する。）の作成を画面作成部に指示するようにユーザー端末３を制御してもよい。端末制御部３３は、例えば、図示しない処理部を備え、かかる処理部を介して、制御を実行するようにしてもよい。
【００４０】
このように、端末制御部３３は、タッチパネル３２に対して行われる操作に対応してユーザー端末３を制御するものであるが、端末制御部３３は、例えば、ＣＰＵやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の従来公知の集積回路等を備えるようにすればよい。
【００４１】
なお、ユーザー端末３の各機能は、端末制御部３３が通信部３４を介して紹介サーバ２にアクセスし、紹介サーバ２からの指示に応じて処理を実行してもよい。
【００４２】
通信部３４は、インターネット等のネットワーク４に接続され、かかるネットワーク４を介して紹介サーバ２に接続され、紹介サーバ２とユーザー端末３相互の通信がなされることになる。ユーザー端末３の図示しない送信部は、紹介サーバ２に対して自己のプロフィール情報のほか、例えば、他のユーザーへのメッセージ等の他のユーザーとのメッセージのやり取り等を形成するユーザーの各種情報を送信する。また、ユーザー端末３、紹介サーバ２から各種情報（他のユーザーからのメッセージ等を含む。）を受信する図示しない受信部を備える。
【００４３】
また、ユーザーに紹介システム１を実現させるための所定のアプリケーションソフトウェア（プログラム）があらかじめダウンロードされて記憶部３５に記憶され、端末制御部３３がアプリケーションを読み出して実行してもよい。
【００４４】
記憶部３５は、ユーザー端末３によって表示される画像を記憶するようにしてもよい。記憶部３５は、例えば、前記したＨＤＤ（ハードディスクドライブ）、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含むようにしてもよい。
【００４５】
なお、ユーザー端末３について記憶部３５は必須の構成としなくてもよく、例えば、ユーザー端末３の表示部３１に表示される画像や端末処理部３３を制御するためのプログラム等は、ユーザー端末３の外部にある図示しない外部記憶部等から、通信部３４を介して読み出すようにしても問題はない。
【００４６】
図４は、画面構成部３６の構成の一態様を示した図である。画面構成部３６は、画面作成部であるプロフィール画面作成部３６１及びメッセージ送受信画面作成部３６２と、これらの画面作成部３６１，３６２で作成された画面を積層する画面積層部３６３と、を備える。
【００４７】
プロフィール画面作成部３６１は、紹介サーバ２からの他のユーザーのプロフィール情報を用いて、後記する図１４等に示すような、他のユーザーのプロフィール画面９を作成する。また、他のユーザーとのメッセージのやり取り（ユーザーが他のユーザーへ送信したメッセージ、及びユーザーが他のユーザーから受信したメッセージのやりとり等を指す。）を時系列に表示するメッセージ送受信画面８を作成するメッセージ送受信画面作成部３６２は、後記する図１２等に示すようなメッセージ送受信画面８を作成する。
【００４８】
これらは、他のユーザーとのメッセージのやり取りを時系列に表示するメッセージ送受信画面８を作成するステップ（ステップＡ）と、紹介サーバ２から送信された他のユーザーのプロフィール情報を用いてプロフィール画面９を作成するステップ（ステップＢ）と、の実施となる。
【００４９】
メッセージ送受信画面作成部３６２が作成するメッセージ送受信画面８の例としては、図１２に示すような、ユーザーのメッセージのやりとりがチャット形式となるようなメッセージ送受信画面８が挙げられる。
【００５０】
ユーザー端末３には、画面作成部としては、その他、後記する図８に示すユーザー一覧画面６を作成するユーザー一覧画面作成部や、図９等に示すユーザー特定画面７を作成するユーザー特定画面作成部を備えることが好ましい。その他、ユーザー登録の際の非会員トップ画面作成図等の本発明で表示される各種画面の作成部を備えることが好ましい。
【００５１】
これらの画面作成部は、例えば、紹介サーバ２から送信されるユーザーのプロフィール情報等のユーザー情報をもとに、端末制御部３３を介して所定のコンピュータプログラム等を用いて所定の画面を作成するようにすればよい。
【００５２】
また、画面積層部３６３は、メッセージ送受信画面作成部３６２により得られたメッセージ送受信画面８と、プロフィール画面作成部３６１により作成されたプロフィール画面９を積層し、このようにして積層されたメッセージ送受信画面８とプロフィール画面９は、ユーザー端末３の表示部３１に表示されることになる。
【００５３】
画面積層部３６３では、本実施形態では、後記する図１４等に示すように、上面に表示された面がプロフィール画面９となるように画面を積層する態様を示している。また、スワイプ操作のトリガーとなるスワイプ操作部９１を、上面に表示される面（図１４ないし図１６等ではプロフィール画面９）に形成することが好ましい。
【００５４】
図５は、上面の説明図である。本発明における「上面」とは、外部に近い面であり、タッチパネル３２と接する面である。図５に示す態様では、前記したように、プロフィール画面９が上面となる（上面の下にある面（下面）はメッセージ送受信画面８となる。）。また、かかるプロフィール画面９にタッチパネル３２に接することにより、タッチパネル３２のスワイプ操作が上面であるプロフィール画面９に伝達されることになる。
【００５５】
画面積層部３６３におけるこのような積層処理は、メッセージ送受信画面作成部３６２により得られたメッセージ送受信画面８と、プロフィール画面作成部３６１により作成されたプロフィール画面９をもとに、端末制御部３３を介して所定のコンピュータプログラム等を用いて実施されるようにすればよい。
【００５６】
これは、ユーザー端末３のタッチパネル３２を搭載した表示部３１が、プロフィール画面９と、メッセージ送受信画面８とを積層して表示するステップ（ステップＣ）、の実施となる。
【００５７】
次に、紹介システム１を用いるためのユーザー登録について説明する。図６は、ユーザー登録からメッセージ送受信までの流れのフローチャートを示した図である。また、図７は、ユーザー登録画面（プロフィール登録画面）５を示した図である。以下、図６及び図７を用いて、紹介サーバ２のユーザー登録部２３でなされるユーザー登録からメッセージ送受信まで（メッセージ送受信画面８の表示まで）の手順を説明する。
【００５８】
まず、ユーザーは、紹介サーバ２が運営するウェブサイトやアプリや紹介サーバ２が提携しているウェブサイトやアプリから、ユーザー端末３に紹介システム１に関するアプリケーションソフトウェア（以下、単に「アプリ」とする場合もある。）をダウンロードし、インストールする（ステップ１（Ｓ１））。
【００５９】
アプリがユーザー端末３にインストールされた後、ユーザー端末３でアプリを起動すると、図示しない非会員トップ画面が表示される（ステップ２（Ｓ２））。ユーザーは、非会員トップ画面から図７に示したユーザー登録画面５に移動する。
【００６０】
非会員であるユーザーが新規登録する際のプロフィール情報としては、例えば、図７にも載るような、登録するユーザーの性別、ニックネーム、年齢、居住地、よく行くエリア（任意）、及びセキュリティとしてのパスワード等が挙げられる（以下、「基本プロフ（基本プロフィール）」とする場合もある。）。
【００６１】
ユーザーは、前記したような基本プロフとなるプロフィール情報を、ユーザー端末３から図７に示した内容に沿って、タッチパネル３２をタップすることで、図示しない端末入力部を介して入力する。入力されたプロフィール情報は、ユーザーが、ユーザー端末３の表示部３１（タッチパネル３２）の、図７に示す「登録」のボタン５１をタップ（タップ操作）することにより、ユーザー端末３の図示しない送信部から、通信部３４によりネットワーク４に送信され、ネットワーク４は、紹介サーバ２に送信する（ステップ３（Ｓ３））。
【００６２】
なお、初回のユーザー登録時は、基本プロフに相当するユーザー情報を入力させることを必須とする一方、それ以上の詳細な情報は、登録後に別途入力させることが好ましい。ユーザー登録時にあまり細かい内容を求めると、ユーザー側も面倒となり、登録しなくなる場合もあるためである。
【００６３】
詳細な情報としては、例えば、血液型、身長、利用目的、職業、休日、空いている時間帯（曜日）、趣味・好み、車の有無、学歴、年収、お酒（を飲むかどうか）等が挙げられる(詳しくは、後記する図１０等を参照。なお、「よく行くエリア」は図７で任意の情報として挙げている。）。
【００６４】
ユーザー登録画面５から紹介サーバ２に送信されたプロフィール情報は、紹介サーバ２の図示しない受信部から、記憶部に保存される。このようにして複数のユーザーのプロフィール情報が紹介サーバ２の記憶部に保存されることになる。
【００６５】
以下、図１に示した紹介システム１の一態様であって、所定のユーザー（ユーザーＡ：男性）が、非会員の状態からユーザー登録画面５（図７を参照。）により新規に会員登録した後、ユーザー一覧画面６で他のユーザーのプロフィール情報等の登録情報を確認した上で、他のユーザー（ユーザーＢ：女性）に対して興味を持ち、ユーザーＢのプロフィール情報を確認しつつ、メッセージ送受信画面８（後記する図１２等参照。）でメッセージのやり取りをしながら接触を図ろうとしている態様を例として挙げて説明を進める。
【００６６】
前記した方法によりユーザー端末３から会員登録時のユーザー情報の送信が完了し、かかるユーザー（ユーザーＡ）のユーザー登録が完了したら（ステップ４（Ｓ４））、ユーザーＡは、表示される登録された他のユーザーの一覧の登録内容（ユーザー一覧画面６）を確認可能となる（ステップ５（Ｓ５））。
【００６７】
なお、ユーザーＡは、ユーザー端末３から紹介サーバ２にアクセスすることにより他のユーザーの一覧の登録内容が載った画面（ユーザー一覧画面６）を確認することができる。例えば、前記したような新規会員登録が終了した場合に、新規会員登録が終了したユーザー端末３の画面に、他のユーザー一覧画面６が表示されるようにしてもよい。
【００６８】
図８は、ユーザー一覧画面６の一例を示した図である。図８のユーザー一覧画面６にあっては、他のユーザーの顔画像がアイコンボタン６１として、ユーザー端末３の表示部３１に示されることになる。なお、図８では、後記するようにユーザーＢとなるｍａｉｋｏ（ニックネーム）のアイコンボタンのみに符号６１を付している。
【００６９】
ユーザーＡを含むユーザーとしては、基本的に、他のユーザーの容姿（特に顔等。）を気にすることも多い。よって、ユーザー一覧画面６は、図８に示すように、顔等の容姿をアイコンボタン６１として他のユーザーを示すようにしてもよい。
【００７０】
ユーザーＡが、自身のユーザー端末３の表示部３１に表示されるユーザー一覧画面６を見て、所定の他のユーザーに興味を持った場合には、ユーザー一覧画面６に表示されるアイコンボタン６１となっている他のユーザーの顔をタップする。
【００７１】
かかるタップ操作をタッチパネル３２が検出し、ユーザー端末３の端末制御部３３に伝えることにより（ステップ６（Ｓ６））、該当する他のユーザーのユーザー特定画面７に移動し、ユーザー端末３の表示部３１は、他のユーザーを特定した画面を表示することになる（ステップ７（Ｓ７））。なお、タップを検出しなかった場合は、ユーザー特定画面７は表示されず、ユーザー一覧画面６のままとなる。
【００７２】
図９は、ユーザー特定画面７の一例を示した図である。ユーザーＡは、図８に示されたユーザー一覧画面６から、興味を持った他のユーザーとしてｍａｉｋｏ（ニックネームであり、ユーザーＢとなる。）に対して興味を持った。かかるユーザー特定画面７により、ユーザーＡは、ユーザーＢの詳細を特定することができる。
【００７３】
また、図１０は、図９において、ユーザー特定画面７を下にスクロールしてユーザー（ユーザーＢ）のプロフィール詳細を表示した図である。本実施形態にあっては、図９に示す「プロフィール」と「つぶやき」のうち、「プロフィール」を選択した状態（図９は「プロフィール」を選択した状態である。）で、タッチパネル３２に表示されたユーザー特定画面７を下方にスクロールすることで、図１０に示すような、登録されたユーザーＢのプロフィールの詳細を知ることができる。
【００７４】
なお、「つぶやき」は、図示しないが、ユーザーＢがつぶやいた内容等を表示する画面である。また、図９には、後記する「メッセージ」ボタン７１のほか、表示されるユーザーＢに対して、ユーザー特定画面７を見た感想をショートメッセージ（例えば、「素敵ですね」等。）として連絡することができる「気になる」ボタン７２が示されている。
【００７５】
この状態にあって、ユーザーＡがユーザーＢとメッセージを送受信するためには、図９に示されるユーザー特定画面７（本実施形態にあっては、ユーザーＢの特定画面のこと。以下同じ。）において、ユーザーＡが「メッセージ」ボタン７１をタップする。
【００７６】
かかるタップ操作（図７も含め、単に「タップ」ということもある。）をタッチパネル３２が検出し、ユーザー端末３の端末制御部３３に伝達すると（ステップ８（Ｓ８））、メッセージ送受信画面作成部３６２は、メッセージ送受信画面８を作成し、ユーザーＡのユーザー端末３の表示部３１には、ユーザーＡがユーザーＢとメッセージの送受信を行うためのメッセージ送受信画面８が表示されることになる（ステップ９（Ｓ９））。タッチパネル３２がタップを検出しなかった場合は、メッセージ送受信画面８は表示されず、ユーザー特定画面７のままとなる。
【００７７】
図１１は、メッセージ送受信画面８の一例を示した図である（図１１の状態は初期画面で、まだメッセージの送受信（やりとり）はなされていないが、このような初期画面もメッセージ送受信画面８に含まれる。）。また、図１２は、図１１において、メッセージの送受信がなされた状態を示した図である。本実施形態にあっては、ユーザー間（例えば、ユーザーＡとユーザーＢ等。）の時系列のメッセージのやり取り（送受信）は、チャット形式で行われる態様を示しており、ユーザー間の時系列のメッセージの送受信がチャット形式でユーザー端末３の表示部３１に表示されることになる。
【００７８】
このようにしてメッセージ送受信画面８が表示された状態（Ｓ９）における、表示された画面とスワイプ操作との関係を、フローチャートを用いて説明する。図１３は、表示された画面とスワイプ操作との関係のフローチャートを示した図である。
【００７９】
図１１及び図１２に示すメッセージ送受信画面８にあっては、表示部３１の上方向に他のユーザー（ユーザーＢ）のニックネームと年齢（ｍａｉｋｏ  ３０歳）が表示される一方、ユーザーＢのプロフィール画面９が表示されていない。
【００８０】
なお、ユーザー端末３の「上方向」及び「下方向」については、図１１等に矢印方向で示すとおりであり、一般的なスマートフォン等のユーザー端末３における上方向、下方向と同意である。また、「上部」や「下部」についても、所定の位置の上の部分、所定の位置の下の部分、を意味するものである。
【００８１】
ここで、図１１や図１２の状態では、ユーザーＡは、ユーザーＢのプロフィール画面９をメッセージの送受信をしながら（メッセージ送受信画面８を表示しながら）確認することはできない。
【００８２】
このような状態で、ユーザーＡは、図１１等に示すメッセージ送受信画面８における、表示部３１における「お相手のプロフをここに表示」と示されるプロフ画面表示選択ボタン８１をタップするか否かを検討する。
【００８３】
ユーザーＡがプロフ画面表示選択ボタン８１をタップし、タッチパネル３２がタップ操作を検出した場合（ステップ１０（Ｓ１０））、ユーザー端末３の端末制御部３３に伝達され、プロフィール画面作成部３６１は、紹介サーバ２の送信部から送信される他のユーザー（本実施形態ではユーザーＢ）のプロフィール情報から他のユーザー（ユーザーＢ）のプロフィール画面８を作成し、図１４に示すように、メッセージ送受信画面８の上部が隠れるように、他のユーザー（ユーザーＢ）のプロフィール画面９が表示される（ステップ１１（Ｓ１１））。
【００８４】
なお、プロフ画面表示選択ボタン８１をタップしない場合（タッチパネル３２がタップ操作を検出しない場合。）は、表示部３１はこのままとなり、メッセージ送受信画面８のまま維持される。
【００８５】
図１４は、プロフィール画面９が表示された状態の一例を示す図である。プロフィール画面９は、既に表示されていたメッセージ送受信画面８の上面に重畳的に積層され、メッセージ送受信画面８の上部が隠れるように表示されることになる。
【００８６】
なお、図１４では、ユーザー端末３の表示部３１に表示される画面のうち、略上半分をプロフィール画面９が、略下半分をメッセージ送受信画面８がそれぞれ占めている態様を示している。
【００８７】
また、図１４では、プロフィール画面９の下部（プロフィール画面９とメッセージ送受信画面８の境界にもなる。）には、「プロフィール表示中」の表記が左端に載せられた帯状のスワイプ操作部９１が表示される。
【００８８】
紹介システム１におけるユーザーＡのユーザー端末３にあっては、表示部３１（タッチパネル３２）に表示されたスワイプ操作部９１を下方向に動かす（スワイプ操作をすることであり、図１３も含め、スワイプ操作を、単に「スワイプ」とする場合もある。）ことによって、タッチパネル３２がかかる下方向のスワイプ操作を検出し、かかる検出を端末制御部３３に伝えることにより、スワイプ操作部９１と連続一体化されるプロフィール画面９の表示領域が下方向に拡大される。
【００８９】
同様に、表示部３１（タッチパネル３２）に表示されたスワイプ操作部９１を上方向に動かす（スワイプする）ことによって、タッチパネル３２がかかるスワイプ操作を検出し、かかる検出を端末制御部３３に伝えることにより、スワイプ操作部９１と連続一体化されるプロフィール画面９の表示領域が上方向に縮小される。
【００９０】
かかる図１４の状態で、ユーザーＡは、表示されたユーザーＢのプロフィール画面９の上方向または下方向（ユーザー端末３の縦方向）の表示領域の調整（拡大ないし縮小）を行うかを検討する。
【００９１】
ユーザーＡが、プロフィール画面９を縦方向に表示領域を拡大したいと考えた場合は、スワイプ操作部９１をユーザー端末３の下方向にタッチパネル３２をスワイプする（ステップ１２，ステップ１３（Ｓ１２，Ｓ１３））。かかる下方向へのスワイプをタッチパネル３２が検出した場合、メッセージ送受信画面８を隠すように、プロフィール画面９の表示領域が下方向（縦方向）に拡大されるよう、端末制御部３３がユーザー端末３を制御する（ステップ１４（Ｓ１４））。
【００９２】
図１５は、図１４において、プロフィール画面９が下方向に拡大された状態を示す図である。前記したように、プロフィール画面９は、既に表示されていたメッセージ送受信画面８の上面に重畳的に積層されているので、スワイプ操作部９１を下方ギリギリまでスワイプさせた図１５に示す状態にあっては、メッセージ送受信画面８のほとんどが隠れることになる。
【００９３】
図１５に示した状態にあっては、例えば、ユーザーＡはユーザーＢとのメッセージのやりとりをいったん止めて、ユーザーＢのプロフィールの内容をじっくり検討することができる。
【００９４】
一方、図１４の状態（なお、もちろん図１５の状態でもよい。）で、ユーザーＡが、プロフィール画面９の表示領域を縦方向に縮小したいと考えた場合は、スワイプ操作部９１をユーザー端末３の上方向にタッチパネル３２をスワイプする（ステップ１２，ステップ１５（Ｓ１２，Ｓ１５））。かかる上方向へのスワイプを端末制御部３３が検出した場合、メッセージ送受信画面８がさらに表示されるように、プロフィール画面９の表示領域が上方向（縦方向）に縮小されるよう、端末制御部３３がユーザー端末３を制御する（ステップ１６（Ｓ１６））。
【００９５】
図１６は、図１４において、プロフィール画面９の表示領域が上方向に縮小された状態を示す図である。スワイプ操作部９１を上方向にスワイプさせた図１６に示す状態にあっては、メッセージ送受信画面８のほとんどが表示され、プロフィール画面９のほとんどが隠れることになる。
【００９６】
図１６に示した状態にあっては、ユーザーＡはユーザーＢのプロフィールの確認というよりは、メッセージ送受信画面８を用いて、ユーザーＢとのメッセージのやり取りを進めることができる。
【００９７】
これらは、プロフィール画面９とメッセージ送受信画面８のうち、表示部３１の上面に表示された面（本態様では他のユーザー（ユーザーＢ）のプロフィール画面９）が、タッチパネル３１に対して行われるスワイプ操作により、スワイプ操作が行われた方向に表示領域を拡大あるいは縮小するステップ（ステップＤ）、の実施となる。
【００９８】
以上が、スワイプ操作部９１の上方向または下方向へのスワイプと、プロフィール画面９の表示領域の拡大または縮小（及びそれに付随するメッセージ送受信画面８が隠されるまたは表示される。）である。ここで、かかるスワイプは一度でなく、無制限（エンドレス）に実施することができ、その都度、プロフィール画面９（及びメッセージ送受信画面８）の縦方向の表示領域を自由に調整することができる。
【００９９】
（II）本発明の効果：
以上説明した本発明に係る紹介システム１及び紹介方法は、例えば、交際相手等を紹介する紹介システム１及び紹介方法において、タッチパネル３２を備えた表示部３１を有したユーザー端末３を使用して、タッチパネル３２へのスワイプ操作に対応する、上面になる面（本実施形態ではプロフィール画面９）の表示領域の拡大または縮小（及びそれに付随する上面の下にある面（本実施形態ではメッセージ送受信画面８）が隠されるまたは表示される。）により、ユーザーがメッセージ送受信画面８と相手（他のユーザー）のプロフィール画面９の確認作業を簡便に実施することができる。
【０１００】
そして、本発明を適用することにより、前記した実施形態におけるユーザーＡは、ユーザーＢに対する情報等をこれまでより効率的に知ることができ、相手の紹介の効率化も図ることが期待できる。
【０１０１】
（III）実施形態の変形：
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。本発明は前記した各実施形態に限定されるものではなく、本発明の目的を達成できる範囲での変形や改良は、本発明に含まれるものである。
【０１０２】
例えば、前記した実施形態にあっては、タッチパネル３２に対するスワイプ操作がユーザー端末３の上方向または下方向（上方向と下方向の両方を示す。縦方向の表示領域の拡大または縮小）に行われるものであったが、本発明はこれには限定されず、例えば、タッチパネル３２に対するスワイプ操作がユーザー端末の左方向または右方向（左方向と右方向の両方を示す。横方向の表示領域の拡大または縮小）に対して行われるように構成を変更しても問題はない。
【０１０３】
前記した実施形態では、画面積層部３６３が、上面に表示された面がプロフィール画面９となるように画面を積層した態様を例として挙げたが、これには限定されず、メッセージ送受信画面８が上面に表示された面になるように画面を積層しても問題はない。
【０１０４】
前記した実施形態では、他のユーザーとのメッセージのやり取りを時系列に表示するメッセージ送受信画面８を作成するステップ（ステップＡ）と、紹介サーバ２から送信された他のユーザーのプロフィール情報を用いてプロフィール画面９を作成するステップ（ステップＢ）を、ステップＡ、ステップＢの順序で実施した例を挙げて説明したが、ステップＡとステップＢの順序はこれには限定されず、例えば、上面に表示する面をどの面にするか等との関係で、順序は適宜決定することができる。
【０１０５】
前記した実施形態では、メッセージ送受信画面作成部３６２は、メッセージ送受信画面８で行われるユーザーのメッセージのやりとりがチャット形式となるようにメッセージ送受信画面８を作成したが、本発明はこれには限定されず、メッセージ送受信画面８は、メッセージのやり取りを表示する任意の画面とすることができる。
【０１０６】
前記した実施形態では、本発明の紹介システム１等が、ユーザー（ユーザーＡ）に、登録された他のユーザー（ユーザーＢ）を交際相手として紹介することを例として説明したが、本発明はこれには限定されず、ユーザー端末３を利用するユーザーに他のユーザーを紹介する任意の紹介システム等として適用することができる。
【０１０７】
なお、前記した本発明の紹介方法の各ステップ（ステップＡ、ステップＢ、ステップＣ及びステップＤ）を、コンピュータにより実行するプログラムも、本発明に含まれるようにしてもよい。
その他、本発明の実施の際の具体的な構造及び形状等は、本発明の目的を達成できる範囲で他の構造等としてもよい。
【産業上の利用可能性】
【０１０８】
本発明は、タッチパネルを表示部として有するユーザー端末を用いて、例えば、ネットワークを利用して交際相手等を簡便に紹介する手段として利用することができ、産業上の利用可能性は高い。
【符号の説明】
【０１０９】
１  ……  紹介システム
２  ……  紹介サーバ
２１  ……  ＣＰＵ
２１ａ  ……ＲＯＭ
２１ｂ  ……ＲＡＭ
２２  ……  通信部
２３  ……  ユーザー登録部
２４  ……  ＨＤＤ
２５  ……  送信部
２６  ……  バス
３  ……  ユーザー端末
３１  ……  表示部
３２  ……  タッチパネル
３３  ……  端末制御部
３４  ……  通信部
３５  ……  記憶部
３６  ……  画面構成部
３６１  ……  プロフィール画面作成部
３６２  ……  メッセージ送受信画面作成部
３６３  ……  画面積層部
３７  ……  バス
４  ……  ネットワーク
５  ……  ユーザー登録画面（プロフィール登録画面）
５１  ……  「登録」のボタン
６  ……  ユーザー一覧画面
６１  ……  アイコンボタン
７  ……  ユーザー特定画面
７１  ……  「メッセージ」ボタン
７２  ……  「気になる」ボタン
８  ……  メッセージ送受信画面
８１  ……  プロフ画面表示選択ボタン
９  ……  プロフィール画面
９１  ……  スワイプ操作部
【図１】
2020173739.tif 000003
【図２】
2020173739.tif 000004
【図３】
2020173739.tif 000005
【図４】
2020173739.tif 000006
【図５】
2020173739.tif 000007
【図６】
2020173739.tif 000008
【図７】
2020173739.tif 000009
【図８】
2020173739.tif 000010
【図９】
2020173739.tif 000011
【図１０】
2020173739.tif 000012
【図１１】
2020173739.tif 000013
【図１２】
2020173739.tif 000014
【図１３】
2020173739.tif 000015
【図１４】
2020173739.tif 000016
【図１５】
2020173739.tif 000017
【図１６】
2020173739.tif 000018